(57)【要約】制限部材を単に設けた場合と比較して、記録画像のぼけを抑制することができる、画像露光装置、画像露光方法、及びプログラムを提供する。画像露光装置（１０）は、複数の画素（１３）を有し、複数の画素（１３）によって表される表示画像に応じた光を照射する画像表示装置（１２）と、表示画像に応じた記録画像を記録する感光性記録媒体（１４）を、感光性記録媒体（１４）の露光面（１４Ａ）を画像表示装置（１２）に対向させて支持する支持部（２１）と、画像表示装置（１２）と支持部（２１）との間に設けられ、かつ画像表示装置（１２）から感光性記録媒体（１４）へ照射される光の角度を制限するルーバフィルム（１６）と、入力された画像データが表す入力画像の高周波成分の濃度差を強調させることにより、入力画像の画質を劣化させた表示画像を、画像表示装置（１２）に表示させる制御を行う制御部（３０）と、を備える。
2019187751.tif 000002
【特許請求の範囲】
【請求項１】
複数の画素を有し、前記複数の画素によって表される表示画像に応じた光を照射する画像表示装置と、
前記表示画像に応じた記録画像を記録する感光性記録媒体を、前記感光性記録媒体の露光面を前記画像表示装置に対向させて支持する支持部と、
前記画像表示装置と前記支持部との間に設けられ、かつ前記画像表示装置から前記感光性記録媒体へ照射される前記光の角度を制限する制限部材と、
入力された画像データが表す入力画像の高周波成分の濃度差を強調させることにより、前記入力画像の画質を劣化させた前記表示画像を、前記画像表示装置に表示させる制御を行う制御部と、
を備えた画像露光装置。
【請求項２】
前記表示画像は、前記記録画像よりもエッジが強調された画像である、
請求項１に記載の画像露光装置。
【請求項３】
前記制御部は、アンシャープマスク処理により、前記高周波成分の濃度差を強調させる、
請求項１または請求項２に記載の画像露光装置。
【請求項４】
前記制御部は、前記画像表示装置の解像度に応じて重み付けを行った前記アンシャープマスク処理を行う、
請求項３に記載の画像露光装置。
【請求項５】
前記アンシャープマスク処理の重みをｙとし、かつ前記アンシャープマスク処理に用いる二次元ガウス分布の度合い標準偏差をｘとした場合に、下記（１）式を満たす、
請求項３または請求項４に記載の画像露光装置、
−０．１×ｘ＋０．４０＜ｙ＜−０．１×ｘ＋０．９０    ・・・（１）。
【請求項６】
前記アンシャープマスク処理の重みをｙ、前記アンシャープマスク処理に用いる二次元ガウス分布の度合い標準偏差をｘ、かつ前記画像表示装置の解像度をＸｐｐｉ（pixel per inch）とした場合に、下記（２）式を満たす、
請求項３または請求項４に記載の画像露光装置、
−０．１×ｘ×（Ｘ÷３２５）＋０．４０＜ｙ＜−０．１×ｘ×（Ｘ÷３２５）＋０．９０    ・・・（２）。
【請求項７】
前記制限部材は、拡散光学系の光学部材である、
請求項１から請求項６のいずれか１項に記載の画像露光装置。
【請求項８】
前記光学部材が、前記画像表示装置の画素の配列面と平行となる面上における第１の方向に、光を透過する第１の光透過部と光を遮蔽する第１の光遮蔽部とが交互に配置され、かつ、前記第１の方向に非平行で、前記面上における第２の方向に、光を透過する第２の光透過部と光を遮蔽する第２の光遮蔽部とが交互に配置されたルーバフィルムである、
請求項７に記載の画像露光装置。
【請求項９】
前記光学部材が、前記画像表示装置の画素の配列面と平行となる面上における第１の方向に、光を透過する第１の光透過部と光を遮蔽する第１の光遮蔽部とが交互に配置され、かつ、前記第１の方向に垂直で、前記面上における第２の方向に、光を透過する第２の光透過部と光を遮蔽する第２の光遮蔽部とが交互に配置されたルーバフィルムである、
請求項７に記載の画像露光装置。
【請求項１０】
前記ルーバフィルムは、前記第１の方向にのみ前記第１の光透過部と前記第１の光遮蔽部とが交互に配置された第１の層と、前記第２の方向にのみ前記第２の光透過部と前記第２の光遮蔽部とが交互に配置された第２の層と、が積層されている、
請求項８または請求項９に記載の画像露光装置。
【請求項１１】
前記ルーバフィルムの厚みは、２．０ｍｍ以上、４．０ｍｍ以下であり、
前記ルーバフィルムのルーバのピッチは、８０μｍ以下である、
請求項８から請求項１０のいずれか１項に記載の画像露光装置。
【請求項１２】
前記制限部材は、前記感光性記録媒体から一定距離、離れて配置される、
請求項１から請求項１１のいずれか１項に記載の画像露光装置。
【請求項１３】
前記一定距離は、０．６７ｍｍ以下である、
請求項１２に記載の画像露光装置。
【請求項１４】
複数の画素を有し、前記複数の画素によって表される表示画像に応じた光を照射する画像表示装置と、前記表示画像に応じた記録画像を記録する感光性記録媒体を、前記感光性記録媒体の露光面を前記画像表示装置に対向させて支持する支持部と、前記画像表示装置と前記支持部との間に設けられ、かつ前記画像表示装置から前記感光性記録媒体へ照射される前記光の角度を制限する制限部材と、を備えた画像露光装置における画像露光方法であって、
入力された画像データが表す入力画像の高周波成分の濃度差を強調させることにより、前記入力画像の画質を劣化させた前記表示画像を、前記画像表示装置に表示させる制御を行う、
処理を含む画像露光方法。
【請求項１５】
複数の画素を有し、前記複数の画素によって表される表示画像に応じた光を照射する画像表示装置と、前記表示画像に応じた記録画像を記録する感光性記録媒体を、前記感光性記録媒体の露光面を前記画像表示装置に対向させて支持する支持部と、前記画像表示装置と前記支持部との間に設けられ、かつ前記画像表示装置から前記感光性記録媒体へ照射される前記光の角度を制限する制限部材と、を備えた画像露光装置を制御するコンピュータに、
入力された画像データが表す入力画像の高周波成分の濃度差を強調させることにより、前記入力画像の画質を劣化させた前記表示画像を、前記画像表示装置に表示させる制御を行う、
処理を実行させるためのプログラム。
【発明の詳細な説明】
【技術分野】
【０００１】
本開示は、画像露光装置、画像露光方法、及びプログラムに関する。
【背景技術】
【０００２】
写真やフォトマスク等の露光は、結像系の光学系である投射光学系が用いられている。しかしながら、投射光学系の場合は、画像表示装置により表示される表示画像と、感光性記録媒体等の感光材料との間に、レンズなどの光学系が必要で、大きな体積が必要となる。フォトマスクで、半導体等のパターンを露光する場合、マスクを感光材料に密着、あるいは、ほぼ密着させることが行われている。露光する際、感光材料とマスクパターンとの間に、隙間や保護板を設け、平行光を投写させることにより、露光された画像がぼけるのを抑制している。【０００３】
また、光源から出射された光のうち、感光材料に平行に出射された光を用いて、感光材料に照射し露光することにより、露光された記録画像がぼけるのを抑制している。例えば、特許文献１及び２には、感光材料と電子ディスプレイ等に表示された表示画像との間に、光ファイバアレイ等の画像表示装置を設置し、ディスプレイから感光性材料に向けて照射される光のうち、ディスプレイから感光材料に向かう平行な光を選択し（コリメートし）、感光材料に照射する技術が記載されている。特許文献１及び２に記載の技術では、露光された記録画像のにじみを抑制することができる。
【先行技術文献】
【特許文献】
【０００４】
【特許文献１】特開２００９−３７０１１号公報
【特許文献２】米国特許第９１２６３９６号明細書
【発明の概要】
【発明が解決しようとする課題】
【０００５】
上述のように、画像表示装置から照射された光を、制限部材によって制限することにより、コリメートする場合、制限部材の構造に応じて、制限部材を透過した光が拡散してしまう場合がある。そのため、感光性記録媒体に記録される記録画像では、濃度差が小さくなり、画像のエッジ部分の視認性が低下した、所謂、ぼけが生じた画像となる場合がある。【０００６】
上記特許文献１及び２に記載の技術では、制限部材を透過した光の拡散に起因して生じる記録画像のぼけを抑制できない場合があった。【０００７】
本開示はこのような事情に鑑みてなされたものであり、制限部材を単に設けた場合と比較して、記録画像のぼけを抑制することができる、画像露光装置、画像露光方法、及びプログラムを提供することを目的とする。
【課題を解決するための手段】
【０００８】
上記目的を達成するために、本開示の第１の態様の画像露光装置は、複数の画素を有し、複数の画素によって表される表示画像に応じた光を照射する画像表示装置と、表示画像に応じた記録画像を記録する感光性記録媒体を、感光性記録媒体の露光面を画像表示装置に対向させて支持する支持部と、画像表示装置と支持部との間に設けられ、かつ画像表示装置から感光性記録媒体へ照射される光の角度を制限する制限部材と、入力された画像データが表す入力画像の高周波成分の濃度差を強調させることにより、入力画像の画質を劣化させた表示画像を、画像表示装置に表示させる制御を行う制御部と、を備える。【０００９】
また、本開示の第２の態様の画像露光装置は、第１の態様の画像露光装置において、表示画像は、記録画像よりもエッジが強調された画像であってもよい。【００１０】
また、本開示の第３の態様の画像露光装置は、第１の態様または第２の態様の画像露光装置において、制御部は、アンシャープマスク処理により、高周波成分の濃度差を強調させてもよい。【００１１】
また、本開示の第４の態様の画像露光装置は、第３の態様の画像露光装置において、制御部は、画像表示装置の解像度に応じて重み付けを行ったアンシャープマスク処理を行ってもよい。【００１２】
また、本開示の第５の態様の画像露光装置は、第３の態様または第４の態様の画像露光装置において、アンシャープマスク処理の重みをｙとし、かつアンシャープマスク処理に用いる二次元ガウス分布の度合い標準偏差をｘとした場合に、下記（１）式を満たしてもよい。
−０．１×ｘ＋０．４０＜ｙ＜−０．１×ｘ＋０．９０    ・・・（１）【００１３】
また、本開示の第６の態様の画像露光装置は、第３の態様または第４の態様の画像露光装置において、アンシャープマスク処理の重みをｙ、アンシャープマスク処理に用いる二次元ガウス分布の度合い標準偏差をｘ、かつ画像表示装置の解像度をＸｐｐｉ（pixel per inch）とした場合に、下記（２）式を満たしてもよい。
−０．１×ｘ×（Ｘ÷３２５）＋０．４０＜ｙ＜−０．１×ｘ×（Ｘ÷３２５）＋０．９０    ・・・（２）【００１４】
また、本開示の第７の態様の画像露光装置は、第１の態様から第６の態様のいずれか１態様の画像露光装置において、制限部材は、拡散光学系の光学部材であってもよい。【００１５】
また、本開示の第８の態様の画像露光装置は、第７の態様の画像露光装置において、光学部材が、画像表示装置の画素の配列面と平行となる面上における第１の方向に、光を透過する第１の光透過部と光を遮蔽する第１の光遮蔽部とが交互に配置され、かつ、第１の方向に非平行で、面上における第２の方向に、光を透過する第２の光透過部と光を遮蔽する第２の光遮蔽部とが交互に配置されたルーバフィルムであってもよい。【００１６】
また、本開示の第９の態様の画像露光装置は、第７の態様の画像露光装置において、光学部材が、画像表示装置の画素の配列面と平行となる面上における第１の方向に、光を透過する第１の光透過部と光を遮蔽する第１の光遮蔽部とが交互に配置され、かつ、第１の方向に垂直で、面上における第２の方向に、光を透過する第２の光透過部と光を遮蔽する第２の光遮蔽部とが交互に配置されたルーバフィルムであってもよい。【００１７】
また、本開示の第１０の態様の画像露光装置は、第８の態様または第９の態様の画像露光装置において、ルーバフィルムは、第１の方向にのみ第１の光透過部と第１の光遮蔽部とが交互に配置された第１の層と、第２の方向にのみ第２の光透過部と第２の光遮蔽部とが交互に配置された第２の層と、が積層されていてもよい。【００１８】
また、本開示の第１１の態様の画像露光装置は、第８の態様から第１０の態様のいずれか１態様の画像露光装置において、ルーバフィルムの厚みは、２．０ｍｍ以上、４．０ｍｍ以下であり、ルーバフィルムのルーバのピッチは、８０μｍ以下であってもよい。【００１９】
また、本開示の第１２の態様の画像露光装置は、第１の態様から第１１の態様のいずれか１態様の画像露光装置において、制限部材は、感光性記録媒体から一定距離、離れて配置されてもよい。【００２０】
また、本開示の第１３の態様の画像露光装置は、第１２の態様の画像露光装置において、  一定距離は、０．６７ｍｍ以下であってもよい。【００２１】
また、上記目的を達成するために、本開示の第１１の態様の画像露光方法は、複数の画素を有し、複数の画素によって表される表示画像に応じた光を照射する画像表示装置と、表示画像に応じた記録画像を記録する感光性記録媒体を、感光性記録媒体の露光面を画像表示装置に対向させて支持する支持部と、画像表示装置と支持部との間に設けられ、かつ画像表示装置から感光性記録媒体へ照射される光の角度を制限する制限部材と、を備えた画像露光装置における画像露光方法であって、入力された画像データが表す入力画像の高周波成分の濃度差を強調させることにより、入力画像の画質を劣化させた表示画像を、画像表示装置に表示させる制御を行う、処理を含む。【００２２】
また、上記目的を達成するために、本開示の第１２の態様のプログラムは、複数の画素を有し、複数の画素によって表される表示画像に応じた光を照射する画像表示装置と、表示画像に応じた記録画像を記録する感光性記録媒体を、感光性記録媒体の露光面を画像表示装置に対向させて支持する支持部と、画像表示装置と支持部との間に設けられ、かつ画像表示装置から感光性記録媒体へ照射される光の角度を制限する制限部材と、を備えた画像露光装置を制御するコンピュータに、入力された画像データが表す入力画像の高周波成分の濃度差を強調させることにより、入力画像の画質を劣化させた表示画像を、画像表示装置に表示させる制御を行う、処理を実行させる。
【発明の効果】
【００２３】
本開示によれば、制限部材を単に設けた場合と比較して、記録画像のぼけを抑制することができる。
【図面の簡単な説明】
【００２４】
【図１】実施形態の画像露光装置の一例の分解斜視図である。
【図２】実施形態の画像露光装置の一例の断面図である。
【図３】実施形態の画像表示装置の機能的な構成の一例を表すブロック図である。
【図４】本実施形態の画像表示装置のハードウェア構成について説明するための説明図である。
【図５】実施形態の画像露光装置における光の進行方向を説明するための概略断面図である。
【図６】本実施形態のルーバフィルムの一例の構成を示す図である。
【図７】本実施形態のルーバフィルムの他の例の構成を示す図である。
【図８】ルーバフィルムを透過した光の拡散を説明するための説明図である。
【図９】表示画像と記録画像との違いを説明するための説明図である。
【図１０】本実施形態の画像表示装置の制御部で実行される画像処理の一例のフローチャートである。
【図１１Ａ】図１０に示した画像処理における高周波成分強調処理の一例を説明するための説明図である。
【図１１Ｂ】図１０に示した画像処理における高周波成分強調処理の一例を説明するための、図１１Ａに続く説明図である。
【図１１Ｃ】図１０に示した画像処理における高周波成分強調処理の一例を説明するための、図１１Ｂに続く説明図である。
【図１２】実施形態の画像表示装置の制御部で実行されるアンシャープマスク処理の好ましい範囲を説明するためのグラフである。
【図１３】基礎実験の実験結果を示すグラフである。
【図１４】高調波成分強調実験の実験結果を示すグラフである。
【発明を実施するための形態】
【００２５】
以下、図面を参照して、本実施形態の画像露光装置について説明する。
【００２６】
（画像露光装置）
まず、本実施形態の画像露光装置の構成について説明する。図１には、本実施形態画像露光装置の一例の分解斜視図を示す。また、図２には、本実施形態の画像露光装置の一例の断面図を示す。
【００２７】
図１及び図２に示すように本実施形態の画像露光装置１０は、画像表示装置１２、支持部２１、及びルーバフィルム１６を備える。画像表示装置１２は、複数の画素１３を有する。支持部２１は、画像表示装置１２が表示した表示画像に応じた記録画像を記録する感光性記録媒体１４を支持する。ルーバフィルム１６は、画像表示装置１２と支持部２１との間に設けられ、支持部２１側に保護層１７が設けられている。
【００２８】
［画像表示装置］
本実施形態の画像表示装置１２としては、スマートフォン及びタブレット等の携帯端末、液晶表示装置（ＬＣＤ：liquid crystal display）、ブラウン管表示装置（ＣＲＴ：cathode ray tube）、発光ダイオード表示装置（ＬＥＤ：light emitting diode）、及びプラズマ表示装置等を用いることができる。
【００２９】
画像表示装置１２は、表示画像を表示するための表示部３２として、複数の画素１３を備える。なお、図２では、１つの画素１３を表示部３２の一例として示している。画素１３とは、画像表示面を構成する色情報の最小単位である。画素１３を有することにより、画像表示装置１２は、表示画像を表示できる。画像表示装置１２の画素表示面は二次元状に配列された画素１３を有している。二次元とは、図１におけるＸ−Ｙ方向に延びる状態を意味する。隣接する画素１３間の距離（ピッチ）を、２００μｍ以下とすることで、記録画像について自然画としての印象を強くすることができる。そのため、画素１３のピッチは、１５０μｍ以下が好ましく、１２５μｍ以下がより好ましく、８５μｍ以下がさらに好ましい。
【００３０】
画像表示装置１２から光を照射する面側には、画素１３を保護するためのガラス窓２６が設けられている。ガラス窓２６の厚みは、画素１３から感光性記録媒体１４までの距離を短くするため、薄いことが好ましい。
【００３１】
また、図３には、本実施形態の画像表示装置１２の機能的な構成の一例を表すブロック図を示す。本実施形態の画像表示装置１２は、制御部３０及び表示部３２を備える。
【００３２】
制御部３０は、入力された画像データが表す入力画像を表示部３２に表示させる。また、本実施形態の制御部３０は、入力画像の高周波成分の濃度差を強調させることにより、入力画像の画質を劣化させた表示画像を、表示部３２に表示させる制御を行う。
【００３３】
表示部３２は、上記の画素１３を備え、画素１３によって表される表示画像に応じた光を照射する。表示部３２は、例えば、バックライト等のランプが光を照射する液晶を適用してもよいし、また例えば、自身が光を照射する発光ダイオードを適用してもよい。
【００３４】
次に、図４を参照して、画像表示装置１２のハードウェア構成について説明する。図４に示すように、画像表示装置１２は、ＣＰＵ（Central Processing Unit）４０、一時記憶領域としてのメモリ４２、及び不揮発性の記憶部４６を備えたコンピュータを有する。また、画像表示装置１２は、上記の表示部３２、及び入力部４８を備える。ＣＰＵ４０、メモリ４２、記憶部４６、入力部４８、及び表示部３２は、バス４９を介して接続される。
【００３５】
記憶部４６は、ＨＤＤ（Hard Disk Drive）、ＳＳＤ（Solid State Drive）、及びフラッシュメモリ等によって実現される。記憶媒体としての記憶部４６には、画像処理プログラム５０が記憶される。ＣＰＵ４０は、画像処理プログラム５０を記憶部４６から読み出し、読み出した画像処理プログラム５０をメモリ４２に展開してから実行する。ＣＰＵ４０が画像処理プログラム５０を実行することによって、ＣＰＵ４０は、図３に示した制御部３０として機能する。
【００３６】
入力部４８には、入力画像の画像データ、換言すると表示部３２に表示させる表示画像に応じた画像データが入力される。なお、入力画像の画像データは、画像表示装置１２または画像露光装置１０の外部から入力される形態であってもよいし、画像表示装置１２または画像露光装置１０自身が画像を形成または撮像する機能を有する場合は、画像表示装置１２または画像露光装置１０によって形成または撮像された画像データが入力される形態であってもよい。
【００３７】
［支持部］
本実施形態の支持部２１は、画像表示装置１２の光を照射する面に対向する位置に配置される状態に、感光性記録媒体１４を支持する。なお、支持部２１は、感光性記録媒体１４を直接的に支持してもよいし、間接的に支持してもよく、感光性記録媒体１４を支持することができればその構造は特に限定されない。
【００３８】
［感光性記録媒体］
図２に示すように、本実施形態の感光性記録媒体１４は露光面１４Ａを有する。感光性記録媒体１４としては、画像表示装置１２から照射された光により露光でき、記録画像を形成することができれば、特に限定されない。例えば、インスタントカメラ（例えば、富士フイルム（株）社製、Instax（登録商標）（商品名：チェキ））に装着するフィルムパック１８等を用いることができる。
【００３９】
フィルムパック１８は、ケース２０に感光性記録媒体１４を組み込んで形成される。ケース２０内に設けられた複数の感光性記録媒体１４の間には、図示を省略した遮光シートが設けられており、この遮光シートにより、フィルムパック１８の最上面にある感光性記録媒体１４のみが露光される。なお、上記のInstax（登録商標）に装着するフィルムパック１８を適用する場合、フィルム内に、感光性記録媒体１４及び遮光シートが組み込まれている。感光性記録媒体１４に用いられる材料としては、例えば、ネガフィルム、リバーサルフィルム、印画紙、モノシート又はビールアパート式のインスタント写真フィルム等の写真感光材料を挙げることができる。
【００４０】
図２に示すように、感光性記録媒体１４は、遮光性を有する箱形状のケース２０内に、複数枚、納められている。ケース２０には、感光性記録媒体１４の露光面を露光するために画像表示装置１２から照射される光を通過させる露光開口２２が設けられている。また、露光開口２２の反対側には、押圧部材（図示省略）が設けられており、押圧部材により、感光性記録媒体１４は、露光開口２２側に押されることになる。これにより、感光性記録媒体１４が露光開口２２の周辺に押し付けられ、画像表示装置１２との距離が近くなり、良好な画像を感光性記録媒体１４に記録することができる。
【００４１】
ケース２０としては、写真感光材料、磁気記録材料、及び光記録材料等の各種記録材料に用いられる記録材料用樹脂部材を用いることができる。記録材料用樹脂部材としては、上記記録材料を収納、包装、被覆、保護、搬送、保管、形態支持等のために用いられる容器、蓋、及びそれに付随する付属部品、あるいは、上記記録材料を装填して機能を発揮する各種部材をいう。
【００４２】
露光後の感光性記録媒体１４は、展開ローラ（図示省略）の間を通過することにより、感光性記録媒体に設けられたポッド部が破裂する。ポッド部内には、現像処理液が内包されており、ポッド部が破裂することにより、感光性記録媒体１４の内部に現像処理液が展延される。１〜数分間経過した後に現像処理が十分に進み感光性記録媒体１４上に記録画像が形成される。
【００４３】
［ルーバフィルム］
図５及び図６を参照して、本実施形態のルーバフィルム１６の一例を説明する。図５は、本実施形態の画像露光装置１０の一例の概略断面図であり、画素１３からの光の進行方向を説明する図である。図６は、本実施形態のルーバフィルム１６の一例の構成を示す図である。符号１６Ａはルーバフィルム１６の平面１６Ａであり、符号１６Ｂはルーバフィルム１６の側面１６Ｂである。ルーバフィルム１６は、画像表示装置１２の画素１３の配列面と平行となる面上における第１の方向（図４の平面１６ＡにおけるＸ方向）に、光を透過する光透過部１０２と光を遮断する光遮蔽部１０４とが交互に配置されている。本実施形態の第１の方向に配置されている光透過部１０２及び光遮蔽部１０４が、本開示の第１の光透過部及び第１の光遮蔽部の一例である。
【００４４】
また、ルーバフィルム１６は、第１の方向に垂直で、画像表示装置の画素の配列面と平行となる面上における第２の方向（図４の平面１６ＡにおけるＹ方向）に、光透過部１０２と光遮蔽部１０４とが交互に配置されている。本実施形態の第２の方向に配置されている光透過部１０２及び光遮蔽部１０４が、本開示の第２の光透過部及び第２の光遮蔽部の一例である。
【００４５】
このように、本実施形態においては、光透過部１０２が二次元的に配置され、光遮蔽部１０４が格子状に形成されている。このような構成とすることにより、図５に示すように、画像表示装置１２の画素１３から感光性記録媒体１４の露光面１４Ａに照射される光の角度を制限する。本実施形態のルーバフィルム１６が、本開示の制限部材の一例である。
【００４６】
画像表示装置１２の画素１３から照射された光は、画像表示面から１８０°の範囲におけるあらゆる方向に向かって照射される。照射された光は、画像表示装置１２に設けられたガラス窓２６を通過し、ルーバフィルム１６に入射する。ルーバフィルム１６に入射した光のうち、画像表示装置１２と感光性記録媒体１４とを結ぶ直線に対して、平行な光がルーバフィルム１６の光透過部１０２を通過する。また、画像表示装置１２と感光性記録媒体１４を結ぶ直線に対して斜めに照射された光は、ルーバフィルム１６内の光遮蔽部１０４により、光が遮られてしまう。画像表示装置１２から照射さえる光の角度を制限することにより、感光性記録媒体１４に記録される記録画像の画質が向上する。
【００４７】
光透過部１０２は、光を通過させることができればよく、ガラス材料、透明なシリコーンゴム等を用いることができる。また、光透過部１０２の部分を空洞とし、光遮蔽部１０４のみでルーバフィルム１６を構成することもできる。光遮蔽部１０４は、光を吸収する光吸収部材としてもよく、光を反射する光反射部材とすることもできる。光遮蔽部１０４を構成する光遮蔽部材１０６は、着色された樹脂材料を用いることができ、例えば、黒色シリコーンゴム等を用いることができる。また、光を吸収する材料として、ニュートラルデンシティーフィルタ（ＮＤ（Neutral Density）フィルタ）を用いることができる。ＮＤフィルタは、中立な光学濃度のフィルタを意味し、露光に用いられる波長域において、波長に影響を与えることなく、均等に光を吸収（吸収率が５０％以上９９．９９９％以下；光透過率が０．００１％以上、５０％以下）できるフィルタである。
【００４８】
なお、ルーバフィルム１６の構成は、本実施形態に限定されない。図７には、ルーバフィルム１６の他の一例の構成を示す。上記、図６に示すルーバフィルム１６は側面１６Ｂに示すように、１つの層で形成され、この１つの層に、第１の方向及び第２の方向に光透過部１０２と光遮蔽部１０４とを交互に配置することで、二次元的に配列されたルーバフィルム１６が構成されている。
【００４９】
一方、図７に示すルーバフィルム１６は、第１の層１１８及び第２の層１１９の２層により構成されている。符号１６Ｂはルーバフィルム１６の側面であり、符号１１８Ａは第１の層１１８の平面、符号１１９Ａは第２の層１１９の平面である。第１の層１１８の平面１１８Ａに示すように、第１の層１１８は、第１の方向（図７の平面１１８ＡにおけるＸ方向）にのみ光透過部１０２と光遮蔽部１０４とを交互に配置する。そして、第２の層１１９を、第１の方向に垂直な第２の方向（図７の平面１１９ＡにおけるＹ方向）にのみ光透過部１０２と光遮蔽部１０４とを交互に配置する。そして、第１の層１１８と第２の層１１９を積層することにより、二次元のルーバフィルム１６とする。このように、複数の層で二次元状のルーバフィルム１６を形成しても、１つの層で形成したルーバフィルム１６と同様の効果を得ることができる。
【００５０】
ルーバフィルム１６の光遮蔽部１０４（ルーバ）のピッチＰは、「ルーバピッチ実験」として後述するように、８０μｍ以下が好ましく、６５μｍ以下がより好ましい。光遮蔽部１０４のピッチＰを上記範囲とすることで、画素１３から照射された光のうち、斜めに照射された光を遮ることができ、記録画像の画質を向上させることができる。
【００５１】
また、画素１３の配列の基準となる画素のＸＹ軸と、ルーバフィルム１６の光透過部１０２及び光遮蔽部１０４の配列の基準となるルーバのＸＹ軸との角度に差を付けて、光遮蔽部１０４を配置してもよい。すなわち、第１の方向と第２の方向とが非平行であれば、垂直でなくてもよい。画素１３のＸＹ軸とルーバのＸＹ軸の角度に差を付けて配置することにより、記録画像のモアレが抑制される。この角度の差は、１度〜４５度が好ましく、５度〜４０度がより好ましく、１０度〜３５度がより好ましい。
【００５２】
ルーバフィルム１６の厚みｔは、「ルーバフィルム厚み実験」として後述するように、１．５ｍｍ以上、４．０ｍｍ以下が好ましく、２．０ｍｍ以上、４．０ｍｍ以下がより好ましく、２．５ｍｍ以上、４．０ｍｍ以下がさらに好ましい。ルーバフィルム１６の厚みｔを厚くすることにより、平行光に対して小さい角度の斜めの光を遮ることができる。また、ルーバフィルム１６の厚みｔが厚くなると、記録画像がぼけやすくなるため、ルーバフィルム１６の厚みｔを上記範囲とすることが好ましい。ルーバフィルム１６の厚みｔは、図６に示したルーバフィルム１６のように、１つの層で形成されている場合は１つの層の厚みであり、図７に示したルーバフィルム１６のように、第１の層及び第２の層の２つの層等の複数層で形成されている場合は、複数層の合計の厚みがルーバフィルム１６の厚みとなる。
【００５３】
［保護層］
保護層１７は、図１〜３に示すように、ルーバフィルム１６の支持部２１側に設けられている。保護層１７は、露光を行う場合に、感光性記録媒体１４とルーバフィルム１６との接触においてルーバフィルム１６を保護する。保護層１７は、画像表示装置１２に表示された表示画像を感光性記録媒体１４に露光することを繰り返すことにより、ルーバフィルム１６が傷ついたり破損したりすることを防止する。
【００５４】
保護層１７としては、透明で光を通すことができれば、特に限定されない。保護層１７には、例えば、アクリル樹脂、ポリカーボネート、塩化ビニル樹脂などから形成されるプラスチック板を用いることができる。
【００５５】
保護層１７の厚さは、０．１μｍ以上、５００μｍ以下とすることが好ましい。保護層１７の厚みを０．１μｍ以上とすることにより、ルーバフィルム１６を保護する効果の他に、モアレを目立たなくすることができる。また、ルーバフィルム１６の欠陥又は構造に基づいて生じた画像の欠陥を目立たなくすることができる。また、保護層１７の厚みを５００μｍ以下とすることにより、記録画像がぼけることを防止することができる。
【００５６】
次に、本実施形態の画像表示装置１２の制御部３０の作用を説明する。上述したようにルーバフィルム１６によって、画像表示装置１２から照射される光の角度が制限され、画像表示装置１２と感光性記録媒体１４とを結ぶ直線に対して、平行な光がルーバフィルム１６の光透過部１０２を通過する。しかしながら、実際は、図８に示すように、表示部３２の点光源１５から照射された光は、拡散する。具体的には、光遮蔽部１０４の高さＨと、光と光透過部１０２の幅Ｑに応じて一定角の光成分が透過、すなわち拡散する。拡散した光成分により、図９に示すように、感光性記録媒体１４に記録される記録画像では、高周波成分（エッジ部）Ｅの濃度差が表示画像に比べて、減少してしまう。すなわち、記録画像では、濃度差が小さくなるため、エッジ部が視認されにくくなる傾向があり、その結果、記録画像がぼけ画像となる懸念が高くなる。
【００５７】
ルーバフィルム１６の厚みｔが大きくなるほど、画像表示装置１２から感光性記録媒体１４へ到達する光量が減少するため、露光時間が非常にかかるとの問題がある。また、図７に示した一例のように、ルーバフィルム１６が複数の層で形成されている場合、各層において光遮蔽部１０４により遮蔽していない方向への光の拡散が生じるため、記録画像にぼけが生じやすくなる。また、保護層１７の厚みが厚くなるほど、感光性記録媒体１４の露光面１４Ａとの距離が離れ、かつ保護層１７内では、光の角度が制限されないため、記録画像にぼけが生じやすくなる。
【００５８】
そのため、本実施形態では、画像表示装置１２の制御部３０は、表示画像よりも記録画像では、濃度差が減少してしまうことを考慮し、表示画像の高周波成分（エッジ部）を予め増加（強調）させておくための画像処理を行う。
【００５９】
図１０には、本実施形態の制御部３０が実行する画像処理の一例のフローチャートを示す。図１０に示した画像処理は、ＣＰＵ４０が画像処理プログラム５０を実行することにより、実行される。
【００６０】
図１０に示したステップＳ１００で制御部３０は、入力された画像データに対して、入力画像の高周波成分の濃度差を強調させるための高周波成分強調処理を行う。本実施形態では、高周波成分強調処理の一例として、制御部３０は、アンシャープマスク処理を行う。
【００６１】
具体的には、まず、アンシャープマスクを生成する。アンシャープマスクの生成には、例えば、以下の（１）式に示す、ｆ（ｘ、ｙ）をフィルタ係数とし、分布の度合いを標準偏差σとした、二次元ガウス分布を適用する。
【数１】
2019187751.tif 000003
なお、上記（１）式における標準偏差σは、ガウス分布、すなわちぼかし画像のぼかしの半径であり、本実施形態では画素数（ピクセル数）で表記する。
【００６２】
入力画像に対して上記（１）式で示したアンシャープマスクを掛け合わせることにより、図１１Ａに示すように、入力画像から、ぼかし画像を生成する。
【００６３】
さらに、制御部３０は、図１１Ｂに示すように、入力画像と、ぼかし画像との差分から高周波成分画像を生成する。図１１Ｂに示すように、高周波成分画像では、階調差が大きい領域では、特に差分が大きくなる。
【００６４】
さらに、制御部３０は、図１１Ｃに示すように、入力画像に、高周波成分画像を重みＷに応じて、加算することにより、高周波成分が強調された表示画像を生成する。すなわち、表示画像は、入力画像に比べて、画質が劣化された状態となる。
【００６５】
なお、画像表示装置１２の解像度が３２５ｐｐｉ（pixel per inch）の場合、入力画像に対して適用するアンシャープマスク処理では、「高調波成分強調実験」として後述するように、適用するアンシャープマスクの範囲は、標準偏差σをｘとし、重みＷをｙと表記した場合、図１２に示すように、下記（２）式で表される範囲Ｍ１が好ましく、下記（３）式で表される範囲Ｍ２がより好ましく、下記（４）式で表される範囲Ｍ３がさらに好ましい。
【００６６】
−０．１×ｘ＋０．３０＜ｙ＜−０．１×ｘ＋１．００    ・・・（２）
−０．１×ｘ＋０．４０＜ｙ＜−０．１×ｘ＋０．９０    ・・・（３）
−０．１×ｘ＋０．５０＜ｙ＜−０．１×ｘ＋０．８０    ・・・（４）
なお、画像表示装置１２の解像度がＸｐｐｉの場合、上記（２）式〜（４）式の標準偏差σにＸを３２５で割った数を掛け合わせた範囲に応じたアンシャープマスクを適用すればよい。具体的には、下記（５）式〜（７）式の各々で表される範囲Ｍ１〜Ｍ３に応じたアンシャープマスクを適用すればよい。
【００６７】
−０．１×ｘ×（Ｘ÷３２５）＋０．３０＜ｙ＜−０．１×ｘ×（Ｘ÷３２５）＋１．００    ・・・（５）
−０．１×ｘ×（Ｘ÷３２５）＋０．４０＜ｙ＜−０．１×ｘ×（Ｘ÷３２５）＋０．９０    ・・・（６）
−０．１×ｘ×（Ｘ÷３２５）＋０．５０＜ｙ＜−０．１×ｘ×（Ｘ÷３２５）＋０．８０    ・・・（７）
このようにして、高調波成分強調処理を行った後、次のステップＳ１０２で制御部３０は、高調波成分が強調された表示画像を表示部３２に表示させ、本画像処理を終了する。
【００６８】
[画像露光装置の効果実験]
次に、本実施形態の画像露光装置１０の効果に関して行った実験結果を示す。
【００６９】
（基礎実験）
実験には、画像表示装置１２として、ＩＧＺＯの２０．０６６ｃｍ（７．９インチ）、解像度が３２５ｐｐｉのディスプレイを用いた。また、支持部２１は金属プレートであり、感光性記録媒体１４は、Instax用フィルムを用いた。さらに、ルーバフィルム１６は、上記第１の方向にのみ４５μｍの光透過部１０２と、１５μｍの光遮蔽部１０４とが交互に配置された第１の層１１８と、第１の方向に垂直で、かつ上記第２の方向にのみ４５μｍの光透過部１０２と、１５μｍの光遮蔽部１０４とが交互に配置された第２の層１１９と、が積層されたルーバーフィルムを用いた。また、ルーバフィルム１６の各層の厚みは１．５ｍｍとした。さらに、各面の保護層１７の厚みは、０．２μｍとし、ルーバフィルム１６を、表示部３２の画素配置（ＸＹ軸）に対して３０ｄｅｇ回転させた。
【００７０】
また、表示画像は、風景や人物等を被写体とした一般的な写真画像、及び解像度判別のためのＣＴＦ（Contrast Transfer Function）を６０％とした評価画像を用いた。また、本実施形態の記録画像に対する比較画像として、高周波成分が強調（エッジ部が強調）されてない画像を用いた。換言すると、制御部３０による画像処理が行われていない画像を入力画像とした場合の記録画像を比較画像として用いた。なお、以下では、本実施形態の高周波強調画像を適用した記録画像を、比較画像と区別するために「強調画像」という場合がある。
【００７１】
また、高周波成分強調（エッジ強調）処理は、標準偏差σを２pixelとし、重みＷを０．５として、上記（１）に示した二次元ガウス分布を用いたアンシャープマスク処理を行った。
【００７２】
画質の評価方法は、比較画像に対して強調画像のぼけ感が低減し、視認性がよい、好ましい画像となっているかについて、写真の解像感評価をしてきた評価熟練者による官能評価とした。
【００７３】
評価結果として、一般的な写真画像、及びＣＴＦ評価画像のいずれについても、強調画像の視認性がよいとの結果が得られた。
【００７４】
また、図１３には、比較画像、及びＣＴＦ評価画像を入力画像とした強調画像について、画像のピッチ（白黒のピッチ）と、ＣＴＦとの関係を示す。図１３に示すように、強調画像では、比較画像に比べて、高周波成分のコントラストが増加していることがわかる。
【００７５】
（ルーバピッチ実験）
実験には、画像表示装置１２として、ＩＧＺＯの２０．０６６ｃｍ（７．９インチ）、解像度が３２５ｐｐｉのディスプレイを用いた。また、支持部２１は金属プレートであり、感光性記録媒体１４は、Instax用フィルムを用いた。さらに、ルーバフィルム１６は、ルーバピッチＰが異なる、以下のＡ、Ｂの条件を満たす２種類のいずれかを用いた。
Ａ：上記第１の方向にのみ６０μｍの光透過部１０２と、１５μｍの光遮蔽部１０４とが交互に配置された第１の層１１８と、第１の方向に垂直で、かつ、上記第２の方向にのみ６０μｍの光透過部１０２と、１５μｍの光遮蔽部１０４とが交互に配置された第２の層１１９と、が積層されている。また、各層の厚みは２．０ｍｍであり、各面の保護層１７の厚みは、０．２μｍであり、表示部３２の画素配置（ＸＹ軸）に対して４５ｄｅｇ回転されている。
Ｂ：上記第１の方向にのみ４５μｍの光透過部１０２と、１５μｍの光遮蔽部１０４とが交互に配置された第１の層１１８と、第１の方向に垂直で、かつ、上記第２の方向にのみ４５μｍの光透過部１０２と、１５μｍの光遮蔽部１０４とが交互に配置された第２の層１１９と、が積層されている。また、各層の厚みは２．０ｍｍであり、各面の保護層１７の厚みは、２．０ｍｍ（厚みｔ＝４．０ｍｍ）であり、表示部３２の画素配置（ＸＹ軸）に対して３０ｄｅｇ回転されている。
また、上記「Ａ」または「Ｂ」の条件のルーバフィルム１６を適用した場合との比較のため、ルーバフィルム１６を適用しない形態を「Ｃ」として以下に述べる。
【００７６】
また、表示画像は、風景や人物等を被写体とした一般的な写真画像を用いた。また、比較画像として、高周波成分が強調（エッジ部が強調）されてない画像を用いた。
【００７７】
また、高周波成分強調（エッジ強調）処理は、標準偏差σを２pixelとし、重みＷを０．５として、上記（１）に示した二次元ガウス分布を用いたアンシャープマスク処理を行った。
【００７８】
画質の評価方法は、比較画像に対して強調画像のぼけ感が低減し、視認性がよい、好ましい画像となっているかについて、写真の解像感評価をしてきた評価熟練者による官能評価とした。
【００７９】
評価結果を、下記の表１に示す。なお、表１では、画質について、Ｉ〜IVの四段階による評価を行った。「Ｉ」は、視認性が最も優れており、「II」は視認性がよいことを表し、「III」は画像のぼけが改善されていることを表し、「IV」は視認性が悪い、換言すると画像がぼけていることを表す。
【表１】
2019187751.tif 000004
【００８０】
上記の表１に示すように、上記Ａの条件のルーバフィルム１６を適用した場合、強調画像の視認性がよく、上記Ｂの条件のルーバフィルム１６を適用した場合、強調画像の視認性が最も優れていることがわかる。また、上記Ｃの条件の場合、すなわち、ルーバフィルム１６を適用しない場合、画像がぼけていることがわかる。
【００８１】
従って、本実験によれば、上述したように、ルーバのピッチＰは８０μｍ以下が好ましく、６５μｍ以下がより好ましいことがわかる。
【００８２】
（ルーバフィルム厚み実験）
実験には、画像表示装置１２として、ＩＧＺＯの２０．０６６ｃｍ（７．９インチ）、解像度が３２５ｐｐｉのディスプレイを用いた。また、支持部２１は金属プレートであり、感光性記録媒体１４は、Instax用フィルムを用いた。
【００８３】
さらに、ルーバフィルム１６は、上記第１の方向にのみ４５μｍの光透過部１０２と、１５μｍの光遮蔽部１０４とが交互に配置された第１の層１１８と、第１の方向に垂直で、かつ、上記第２の方向にのみ４５μｍの光透過部１０２と、１５μｍの光遮蔽部１０４とが交互に配置された第２の層１１９と、が積層されたルーバフィルム１６を用いた。さらに、ルーバフィルム１６を、表示部３２の画素配置（ＸＹ軸）に対して３０ｄｅｇ回転させた。
【００８４】
また、ルーバフィルム１６として、各層の厚み（厚みｔ）の条件を異ならせた６種類を用意した。条件Ｂでは各層の厚みを２．０ｍｍ（厚みｔ＝４．０ｍｍ）とし、条件Ｄでは各層の厚みを１．５ｍｍ（厚みｔ＝３．０ｍｍ）とし、条件Ｅでは各層の厚みを１．５ｍｍ（厚みｔ＝３．０ｍｍ）とし、条件Ｆでは各層の厚みを１．２５ｍｍ（厚みｔ＝２．５０ｍｍ）とし、条件Ｇでは各層の厚みを１．０ｍｍ（厚みｔ＝２．０ｍｍ）とし、条件Ｈでは各層の厚みを０．７５ｍｍ（厚みｔ＝１．５ｍｍ）とした。なお、条件Ｂ、Ｄにおける各面の保護層１７の厚みは、０．２μｍとし、条件Ｅ、Ｆ、Ｇ、Ｈにおける各面の保護層１７の厚みは、０．１μｍとした。また、比較のため、ルーバフィルム１６を適用しない形態を「Ｃ」として以下に述べる。
【００８５】
また、表示画像は、風景や人物等を被写体とした一般的な写真画像を用いた。また、本実施形態の記録画像に対する比較画像として、高周波成分が強調（エッジ部が強調）されてない画像を用いた。
【００８６】
また、高周波成分強調（エッジ強調）処理は、標準偏差σを２pixelとし、重みＷを０．５として、上記（１）に示した二次元ガウス分布を用いたアンシャープマスク処理を行った。
【００８７】
画質の評価方法は、比較画像に対して強調画像のぼけ感が低減し、視認性がよい、好ましい画像となっているかについて、写真の解像感評価をしてきた評価熟練者による官能評価とした。
【００８８】
評価結果を、下記の表２に示す。なお、表１では、画質について、Ｉ〜IVの四段階による評価を行った。「Ｉ」は、視認性が最も優れており、「II」は視認性がよいことを表し、「III」は画像のぼけが改善されていることを表し、「IV」は視認性が悪い、換言すると画像がぼけていることを表す。
【表２】
2019187751.tif 000005
【００８９】
従って、表２に示すように、また、上述したようにルーバフィルム１６の厚みｔは、１．０ｍｍ以上、４．０ｍｍ以下が好ましく、１．５ｍｍ以上、４．０ｍｍ以下がより好ましく、２．０ｍｍ以上、４．０ｍｍ以下がさらに好ましいことがわかる。
【００９０】
（高調波成分強調実験）
実験には、画像表示装置１２として、ＩＧＺＯの２０．０６６ｃｍ（７．９インチ）、解像度が３２５ｐｐｉのディスプレイを用いた。また、支持部２１は金属プレートであり、感光性記録媒体１４は、Instax用フィルムを用いた。さらに、ルーバフィルム１６は、上記第１の方向にのみ４５μｍの光透過部１０２と、１５μｍの光遮蔽部１０４とが交互に配置された第１の層１１８と、第１の方向に垂直で、かつ、上記第２の方向にのみ４５μｍの光透過部１０２と、１５μｍの光遮蔽部１０４とが交互に配置された第２の層１１９と、が積層されたルーバーフィルムを用いた。また、ルーバフィルム１６の各層の厚みは１．５ｍｍ（厚みｔ＝３．０ｍｍ）とした。さらに、各面の保護層１７の厚みは、０．２μｍとし、ルーバフィルム１６を、表示部３２の画素配置（ＸＹ軸）に対して３０ｄｅｇ回転させた。
【００９１】
また、表示画像は、風景や人物等を被写体とした一般的な写真画像を用いた。また、本実施形態の記録画像に対する比較画像として、高周波成分が強調（エッジ部が強調）されてない画像を用いた。
【００９２】
また、高周波成分強調（エッジ強調）処理は、標準偏差σ、及び重みＷを図１４に示したように異ならせて、上記（１）に示した二次元ガウス分布を用いたアンシャープマスク処理を行った。
【００９３】
画質の評価方法は、比較画像に対して強調画像のぼけ感が低減し、視認性がよい、好ましい画像となっているかについて、写真の解像感評価をしてきた評価熟練者による官能評価とした。
【００９４】
図１４には、評価結果を示す。なお、図１４では、画質について、四段階の評価を行った。図１４に示した「◎」は、視認性が最も優れており、「○」は視認性がよいことを表し、「△」は画像のぼけが改善されていることを表し、「×」は視認性が悪い、換言すると画像がぼけていることを表す。
従って図１４に示すように、また、上述したように、アンシャープマスクの範囲は、標準偏差σをｘとし、重みＷをｙとした、上記（２）式で表される範囲Ｍ１が好ましく、上記（３）式で表される範囲Ｍ２がより好ましく、上記（４）式で表される範囲Ｍ３がさらに好ましいことがわかる。
【００９５】
なお、ルーバフィルム１６の厚みについて、各層の厚みを１．２５ｍｍ（厚みｔ＝２．５ｍｍ）、１．００ｍｍ（厚みｔ＝２．０ｍｍ）、０．７５ｍｍ（厚みｔ＝１．５ｍｍ）として、上記と同様に実験を行ったところ、同様の結果が得られた。換言すると、ルーバフィルム１６の各層の厚みが、１．５ｍｍ、１．２５ｍｍ、１．００ｍｍ、及び０．７５ｍｍの各々では、アンシャープマスクの範囲は、標準偏差σをｘとし、重みＷをｙとした、上記（２）式で表される範囲Ｍ１が好ましく、上記（３）式で表される範囲Ｍ２がより好ましく、上記（４）式で表される範囲Ｍ３がさらに好ましい。
【００９６】
（表示画像と露光面との距離実験）
実験には、画像表示装置１２として、ＩＧＺＯの２０．０６６ｃｍ（７．９インチ）、解像度が３２５ｐｐｉのディスプレイを用いた。また、支持部２１は金属プレートであり、感光性記録媒体１４は、Instax用フィルムを用いた。さらに、ルーバフィルム１６は、上記第１の方向にのみ４５μｍの光透過部１０２と、１５μｍの光遮蔽部１０４とが交互に配置された第１の層１１８と、第１の方向に垂直で、かつ、上記第２の方向にのみ４５μｍの光透過部１０２と、１５μｍの光遮蔽部１０４とが交互に配置された第２の層１１９と、が積層されたルーバーフィルムを用いた。また、ルーバフィルム１６の各層の厚みは１．５ｍｍとした。さらに、各面の保護層１７の厚みは、０．２μｍとし、ルーバフィルム１６を、表示部３２の画素配置（ＸＹ軸）に対して３０ｄｅｇ回転させた。
【００９７】
さらに、本実験では、ルーバフィルム１６と、感光性記録媒体１４の露光面１４Ａとの間に、厚みが異なる、０．５ｍｍ、１．０ｍｍ、及び１．５ｍｍのガラス基材（Ｄ２６３  Teco薄板ガラス／SCHOTT社製）をそれぞれ設けて、実験を行った。なお、屈折率ｎが１．５のため、大気中での厚みは上記のガラス基材の厚みに１．５で割った値となる。
【００９８】
また、表示画像は、風景や人物等を被写体とした一般的な写真画像を用いた。また、本実施形態の記録画像に対する比較画像として、高周波成分が強調（エッジ部が強調）されてない画像を用いた。
【００９９】
また、高周波成分強調（エッジ強調）処理は、標準偏差σを２pixelとし、重みＷを０．５として、上記（１）に示した二次元ガウス分布を用いたアンシャープマスク処理を行った。
【０１００】
画質の評価方法は、比較画像に対して強調画像のぼけ感が低減し、視認性がよい、好ましい画像となっているかについて、写真の解像感評価をしてきた評価熟練者による官能評価とした。
【０１０１】
評価結果は、ガラス基材の厚みが０．５ｍｍの場合、及びガラス基材の厚みが１．０ｍｍの場合、強調画像の視認性が特に優れていた。また、ガラス基材の厚みが１．５ｍｍの場合、上記の場合よりも劣るものの、比較画像に比べて強調画像の視認性が良くなっていた。
【０１０２】
換言すると、ルーバフィルム１６と露光面１４Ａとの距離が０．５ｍｍ及び１．０ｍｍの場合、強調画像の視認性が特に優れており、ルーバフィルム１６と露光面１４Ａとの距離が１．５ｍｍの場合でも、強調画像の視認性が優れている。
【０１０３】
従って、本実験によれば、ルーバフィルム１６の表面（１６Ａ）と、感光性記録媒体１４の露光面１４Ａの距離は一定距離離して露光してもよいことがわかる。また、一定距離について、屈折率ｎが１．５のガラス基材の厚みでいうと、１．５０ｍｍ以下が好ましく、１．００ｍｍ以下がより好ましく、０．５０ｍｍ以下がさらに好ましいことがわかる。なお、上記を屈折率ｎが１．０の大気中の厚みへ換算した場合、１．００ｍｍ以下が好ましく、０．６７ｍｍ以下がより好ましく、０．３３ｍｍ以下がさらに好ましいことがわかる。
【０１０４】
以上説明したように、本実施形態の画像露光装置１０は、複数の画素１３を有し、複数の画素１３によって表される表示画像に応じた光を照射する画像表示装置１２と、表示画像に応じた記録画像を記録する感光性記録媒体１４を、感光性記録媒体１４の露光面１４Ａを画像表示装置１２に対向させて支持する支持部２１と、画像表示装置１２と支持部２１との間に設けられ、かつ画像表示装置１２から感光性記録媒体１４へ照射される光の角度を制限するルーバフィルム１６と、入力された画像データが表す入力画像の高周波成分の濃度差を強調させることにより、入力画像の画質を劣化させた表示画像を、画像表示装置１２に表示させる制御を行う制御部３０と、を備える。
【０１０５】
このように本実施形態の画像露光装置１０における画像表示装置１２の制御部３０は、入力画像の高周波成分の濃度差を強調させることにより、入力画像の画質を劣化させた表示画像を、表示部３２に表示させる制御を行う。ルーバフィルム１６を透過した光の拡散により、感光性記録媒体１４に記録される記録画像は、表示画像よりもぼけた画像となるが、入力画像と同等の画質の画像となる。すなわち、本実施形態の画像露光装置１０によれば、表示画像の画質が劣化していても、記録画像の画質は、入力画像と同等の画質の画像となる。
【０１０６】
従って、本実施形態の画像露光装置１０によれば、ルーバフィルム１６を単に設けた場合と比較して、記録画像のぼけを抑制し、画質を向上させることができる。
【０１０７】
なお、本実施形態では、制御部３０が行う高周波成分強調処理として、アンシャープマスク処理を行う形態について説明したが、本実施形態に限定されず、例えば、コンボリューション処理等を適用してもよい。
【０１０８】
また、例えば、ルーバフィルム１６の構造等も限定されず、さらには、画像表示装置１２から照射される光の角度を制限することが可能な制限部材であれば限定されない。例えば、光透過部１０２と光遮蔽部１０４とが非周期に配置されていてもよく、ランダムに穴が開いた、キャピラリープレート等を制限部材として用いてもよい。
【０１０９】
また、本実施形態では、保護層１７がルーバフィルム１６の支持部２１側に設けられている形態について説明したが、保護層１７が設けられる位置は本実施形態に限定されず、例えば、ルーバフィルム１６の支持部２１側、及び画像表示装置１２側の両方に設けられていてもよい。換言すると。保護層１７は、ルーバフィルム１６の、光が透過する両面に設けられていてもよい。ルーバフィルム１６の両面に保護層１７を設ける場合、ルーバフィルム１６の欠陥、または構造に基づいて生じた画像の欠陥を目立たなくすることができる。
【０１１０】
また、本実施形態では、画像表示装置１２が制御部３０を備える形態について説明したが、制御部３０は、画像表示装置１２と別の装置として構成してもよい。例えば、スマートフォン等のＣＰＵが画像処理プログラム５０を実行することにより、制御部３０として機能して画像処理を行い、画像表示装置１２は、画像処理が行われた画像データをスマートフォンから受信して画像データに応じた表示画像を表示部３２に表示させる形態としてもよい。
【０１１１】
また、上記各実施形態でＣＰＵがソフトウェア（プログラム）を実行することにより実行した画像処理を、ＣＰＵ以外の各種のプロセッサが実行してもよい。この場合のプロセッサとしては、ＦＰＧＡ（Field-Programmable Gate Array）等の製造後に回路構成を変更可能なＰＬＤ（Programmable Logic Device）、及びＡＳＩＣ（Application Specific Integrated Circuit）等の特定の処理を実行させるために専用に設計された回路構成を有するプロセッサである専用電気回路等が例示される。また、画像処理を、これらの各種のプロセッサのうちの１つで実行してもよいし、同種又は異種の２つ以上のプロセッサの組み合わせ（例えば、複数のＦＰＧＡ、及びＣＰＵとＦＰＧＡとの組み合わせ等）で実行してもよい。また、これらの各種のプロセッサのハードウェア的な構造は、より具体的には、半導体素子等の回路素子を組み合わせた電気回路である。
【０１１２】
また、上記各実施形態では、画像処理プログラム５０が記憶部４６に予め記憶（インストール）されている態様を説明したが、これに限定されない。画像処理プログラム５０は、ＣＤ−ＲＯＭ（Compact Disk Read Only Memory）、ＤＶＤ−ＲＯＭ（Digital Versatile Disk Read Only Memory）、及びＵＳＢ（Universal Serial Bus）メモリ等の記録媒体に記録された形態で提供されてもよい。また、画像処理プログラム５０は、ネットワークを介して外部装置からダウンロードされる形態としてもよい。
【符号の説明】
【０１１３】
１０  画像露光装置
１２  画像表示装置
１３  画素
１４  感光性記録媒体、１４Ａ  露光面
１５  点光源
１６  ルーバフィルム、１６Ａ  ルーバフィルムの平面、１６Ｂ  ルーバフィルムの側面
１７  保護層
１８  フィルムパック
２０  ケース
２１  支持部
２２  露光開口
２６  ガラス窓
３０  制御部
３２  表示部
４０  ＣＰＵ
４２  メモリ
４６  記憶部
４８  入力部
４９  バス
５０  画像処理プログラム
１０２  光透過部
１０４  光遮蔽部
１０６  光遮蔽部材
１１８  第１の層、１１８Ａ  第１の層の平面
１１９  第２の層、１１９Ａ  第２の層の平面
Ｅ  高周波成分（エッジ部）
Ｈ  高さ
Ｍ１〜Ｍ３  範囲
Ｐ  光遮蔽部のピッチ
Ｑ  幅
ｔ  ルーバフィルムの厚み
【図１】
2019187751.tif 000006
【図２】
2019187751.tif 000007
【図３】
2019187751.tif 000008
【図４】
2019187751.tif 000009
【図５】
2019187751.tif 000010
【図６】
2019187751.tif 000011
【図７】
2019187751.tif 000012
【図８】
2019187751.tif 000013
【図９】
2019187751.tif 000014
【図１０】
2019187751.tif 000015
【図１１Ａ】
2019187751.tif 000016
【図１１Ｂ】
2019187751.tif 000017
【図１１Ｃ】
2019187751.tif 000018
【図１２】
2019187751.tif 000019
【図１３】
2019187751.tif 000020
【図１４】
2019187751.tif 000021
【国際調査報告】
2019187751.tif 000022
2019187751.tif 000023
2019187751.tif 000024
2019187751.tif 000025